(57)【特許請求の範囲】
【請求項１】
少なくともスピーカユニットが収納された電気音響変換器の本体から突出され耳介に挿入される筒状の耳介挿入部と、
該耳介挿入部の外周に嵌合される筒状の取付け部と、
上記取付け部の上記耳介挿入部の先端部に対応する位置の一端部に、該一端部より他端部側に折り返され耳道に装着される耳道嵌合部を一体に設け、
該取付け部の他端部の外周部には、この筒状の取付け部の筒の中心軸線と交差する外方向に向かって耳甲介腔内の一部に係合し得る係合突部が突設された上記耳道嵌合部の上記耳道に対する挿入位置を規制する挿入規制部が一体に設けられ、上記耳道嵌合部は、容易に弾性変形し得るように薄肉に、また、上記取付け部及び上記係合突部が突設されている挿入規制部は、容易に弾性変形しないように肉厚の弾性変形材料から形成して成ることを特徴とする電気音響変換器。
【発明の詳細な説明】
【０００１】
【発明の属する技術分野】
本発明は、少なくともスピーカユニットが収納された本体に耳介挿入部を設けたイヤホン装置等の電気音響変換器に関する。
【０００２】
【従来の技術】
従来、耳介に装着して使用するイヤホン装置において、耳介に安定した状態で装着することを可能となすため、スピーカユニットを収納したイヤホン本体から耳介挿入体を突設し、この耳介挿入体の一部を耳道に挿入して耳介に装着するようにしたものが提案されている。
【０００３】
このイヤホン装置に設けられる耳介挿入体１０１は、図１６及び図１７に示すように、音道１０２が形成された挿入体本体１０３の先端側に先端先細り状に形成された耳道挿入部１０４を設けている。この耳介挿入体１０１は、耳道挿入部１０４の先端部を耳道に挿入し、挿入体本体１０３を耳甲介腔に係合させて耳介に装着される。このように構成された耳介挿入体１０１を設けたイヤホン装置は、耳道に耳道挿入部１０４の一部が挿入されるので、不用意な脱落が防止され、比較的安定した状態で耳介への装着が可能となる。
【０００４】
【発明が解決しようとする課題】
ところで、人の耳介は個人差があり、大きさや形状が一定しない。一方、上述した耳介挿入体１０１は、剛性の高い合成樹脂材料を成形して形成されてなるので、形状が一定であり、自在に変形させることができない。このような形状が一定の耳介挿入体１０１を設けイヤホン装置にあっては、いずれの人に対しても、良好な装着感をもって安定した状態で装着させることができない。
【０００５】
そこで、本発明の目的は、いずれの人に対しても、良好な装着感をもって安定した状態で装着可能となすイヤホン装置等の電気音響変換器を提供することにある。
【０００６】
本発明の他の目的は、耳道を密閉して装着することを可能となし、外部環境の雑音が耳道に入射されることを抑え、スピーカユニットから放射される音の音質の劣化を生じさせることなく、良好な音響特性をもって再生音の聴取を可能となす電気音響変換器を提供することにある。
【０００７】
【課題を解決するための手段】
上述したような目的を達成するために提案される本発明に係る電気音響変換器は、少なくともスピーカユニットが収納された電気音響変換器の本体から突出され耳介に挿入される筒状の耳介挿入部と、該耳介挿入部の外周に嵌合される筒状の取付け部と、上記取付け部の上記耳介挿入部の先端部に対応する位置の一端部に、該一端部より他端部側に折り返され耳道に装着される耳道嵌合部を一体に設け、該取付け部の他端部の外周部には、この筒状の取付け部の筒の中心軸線と交差する外方向に向かって耳甲介腔内の一部に係合し得る係合突部が突設された上記耳道嵌合部の上記耳道に対する挿入位置を規制する挿入規制部が一体に設けられ、上記耳道嵌合部は、容易に弾性変形し得るように薄肉に、また、上記取付け部及び上記係合突部が突設されている挿入規制部は、容易に弾性変形しないように肉厚の弾性変形材料から形成して成ることを特徴とするものである。
【０００８】
この電気音響変換器は、耳介挿入部を耳介に挿入すると、耳道嵌合部が耳道の形状に倣って変形されて嵌合することにより耳道を密閉する。また、挿入規制部が耳介の一部に係止されることにより、耳道嵌合部の耳道に対する過度の挿入が規制される。
【０００９】
【発明の実施の形態】
以下、本発明をイヤホン装置に適用した具体的な実施形態を図面を参照して説明する。
【００１０】
本発明に係るイヤホン装置は、図１乃至図４に示すように、光ディスクプレーヤ等の音声信号源から入力される音声信号を再生するスピーカユニット１と、このスピーカユニット１から放射される再生音を耳介の耳道に導く音響管２と、外部環境の音を集音するマイクロホンユニット３と、スピーカユニット１及びマイクロホンユニット３を収納するハウジング４とを備えている。
【００１１】
スピーカユニット１から放射される再生音を耳介ａの耳道ｂに導く音響管２は、図３及び図４に示すように、装着時に耳介ａ内に挿入され先端部側を耳道ｂに臨まされる耳介挿入部５を一端側に有し、この耳介挿入部５に対し折り曲げ部６を介して連設され耳介ａの外表面に沿って耳介ａの下方に向かって延在する管本体７を備えている。
【００１２】
そして、音響管２に形成される耳介挿入部５は、先端部側を耳道ｂに臨ませて耳介ａに装着したとき、管本体７が連設される折り曲げ部６が耳介ａの表面に臨むに足る長さに形成される。また、管本体７は、耳介挿入部５に対し略９０度若しくは９０度より稍々小さい鋭角な角度を有する折り曲げ部６を介して連設されている。この管本体７の耳介挿入部５が連設される側と対向する他端部８側は、折り曲げ部６側に向かって立ち上がるようにＵ字状に折り曲げられている。なお、他端部８側は、耳介挿入部５の突出方向と逆方向に折り曲げられている。このように、耳介ａの外部に延在する管本体７をＵ字状に折り曲げることにより、音響管２の長さを十分に大きくしながら占有面積を小さくすることができる。
【００１３】
また、装着時に耳介ａ内に挿入され、耳道ｂの入り口に先端部を臨ませる耳介挿入部５の先端部５ａ側は、図５に示すように、管本体７の軸方向Ｏに直交する平面Ｓ１に対し略１０度の傾斜角θ１をもって上方に向かって傾斜させるとともに、図６に示すように、管本体７の軸方向Ｏに平行な面Ｓ２に対し略１０度の傾斜角θ２をもって水平方向に傾斜して形成されている。このように耳介挿入部５の先端部５ａを管本体７に対し傾斜させることにより、耳介ａの表面に沿って管本体７を延在させながら、耳介ａの表面に対し傾斜して頭部の内部に延長する耳道ｂに平行に挿入させることができる。
【００１４】
音響管２は、耳介挿入部５の先端部を耳道ｂの入り口に臨ませて耳介に装着されたとき、鼓膜から反射される反射音が耳介挿入部５の先端部等によって反射されることなく入射されるようになすため、図５に示すように、標準的な人の耳道ｂの径ｒ１に略等しい内径ｒ２を有するように形成されている。なお、音響管２の外径ｒ３は、略６ｍｍとして形成されている。これは、合成樹脂を成形して形成される音響管２の機械的な強度を保証するに足る肉厚をもって形成するためである。
【００１５】
音響管２に設けられる耳介挿入部５の先端部には、図１及び図２に示すように、耳介ａへの装着時に、耳道ｂの入り口に嵌合し、耳道ｂを塞ぐとともに音響管２の耳介ａへの安定した装着を実現するゴム等の弾性を有する材料によって形成された装着体１０が取付けられている。この装着体１０は、図７に示すように、耳介挿入部５の先端部の外周側に嵌合する筒状の取付け部１１と、この取付け部１１の外周側に形成された耳道嵌合部１２とを備えている。この耳道嵌合部１２は、取付け部１１の先端部に一端部を連結し、取付け部１１の基端部側に向かって湾曲して膨出するように形成されて取付け部１１の外周側に形成されている。すなわち、耳道嵌合部１２は、耳道ｂへの挿入側となる一端部を取付け部１１への連結部となし、他端側を自由端として取付け部１１の外周側を覆うようにして略球状に膨出するようにして取付け部１１と一体に形成されている。耳道嵌合部１２は、一端部を取付け部１１への連結部となし、他端側を自由端としてゴム等の弾性を有する材料により形成されてなるので、取付け部１１への連結部を挿入端として耳道ｂに嵌合したとき、耳道ｂに倣って容易に弾性変形して耳道ｂに嵌合される。
【００１６】
そして、取付け部１１の内周面には、耳介挿入部５の外周面に突設した係合突起１３が相対係合する係合溝１４が設けられている。装着体１０は、係合溝１４を係合突起１３に相対係合させて取付け部１１を耳介挿入部５に嵌合することにより、耳介挿入部５に対する取付け位置の位置決めが図られ、耳介挿入部５からの抜け止めが図られて取付けられる。
【００１７】
ところで、耳道嵌合部１２は、耳道ｂに嵌合されたときに、耳道ｂを密閉し得るように耳道ｂに倣って容易に弾性変形することが望ましい。一方、装着体１０の取付け部１１は、装着体１０を耳介挿入部５に確実に支持させるためのものであるので、大きな弾性力を有するように形成することが望ましい。そこで、耳道嵌合部１２は、容易に弾性変形し得る薄肉に形成されのに対し、取付け部１１は、十分な嵌合保持力を有するように耳道嵌合部１２に比し肉厚に形成されてなる。
【００１８】
また、装着体１０の耳道嵌合部１２と取付け部１１とは、それぞれの機能を十分に発揮し得るように異なる材料を用いて一体に形成してもよい。例えば、耳道嵌合部１２を容易に弾性変形し得るシリコンゴムにより形成し、取付け部１１を大きな弾性力を有するゴム等の弾性材料により形成する。
【００１９】
また、音響管２の折り曲げ部６の近傍には、図３に示すように、スピーカユニット１から放射される再生音を入射させるための再生音入射孔１５が穿設さている。スピーカユニット１は、再生音入射孔１５の一側縁から突設されたスピーカ取付け片１６を介して取付けられる。
【００２０】
このスピーカ取付け片１６を介して取付けられるスピーカユニット１は、振動板とこの振動板を駆動する磁気回路部とからなる動電型のスピーカ１７をカプセル１８に収納して構成されている。このカプセル１８の前面側は、図４に示すように、スピーカ１７を構成する円弧状に膨出する振動板に対応して均一に湾曲して膨出する湾曲面１８ａとなされている。また、カプセル１８の前面には、スピーカ１７から放射される再生音を外部に放射させるための複数の放音孔１９が穿設されている。さらに、カプセル１８の背面側にも、スピーカ１７から放射される再生音を外部に放射させるための複数の放音孔２０が穿設されている。
【００２１】
なお、カプセル１８の背面側には、図８に示すように、背面側の放音孔２０を覆うようして覆板２１が取付けられている。この覆板２１は、スピーカの背面側から放射される再生音の外部への放射を規制し、スピーカの背面側から放射される再生音が音響管２内に入射することにより、聴取される再生音の音質を劣下させることを防止するものである。
【００２２】
上述のように構成されたスピーカユニット１が取付けられるスピーカ取付け片１６は、図３及び図４に示すように、耳介挿入部５の延長方向と略平行に折り曲げ部６の近傍から突設されている。このスピーカ取付け片１６は、スピーカユニット１の外形形状に対応する大きさの円盤状に形成され、中央部にカプセル１８の前面側の湾曲面１８ａに対応する凹湾状をなすスピーカユニット取付け部２２が形成されている。このスピーカユニット取付け部２２の音響管２への連結部側には、再生音入射孔１５に連通する連通部２３が切欠き形成されている。そして、スピーカユニット１は、カプセル１８の湾曲面１８ａをスピーカユニット取付け部２２に嵌合するようしてスピーカ取付け片１６上に配設される。スピーカ取付け片１６上に配設されたスピーカユニット１は、接着剤や両面接着テープを介して湾曲面１８ａをスピーカ取付け片１６に接合されて取付けられる。このように、スピーカユニット１は、カプセル１８の前面側の湾曲面１８ａをスピーカユニット取付け部２２に接合させて取付けられてなるので、取付け片１６に対する強固な取付けが保証される。
【００２３】
上述のようにスピーカ取付け片１６に取付けられたスピーカユニット１は、図９に示すように、カプセル１８の前面側に形成された複数の放音孔１９の一部、例えば２つの放音孔１９が連通部２３に対向する。そして、スピーカから放射される再生音は、連通部２３に対向する放音孔１９及び連通部２３を介して音響管２に入射される。
【００２４】
また、音響管２のＵ字状に折り曲げられた他端部８側には、図５に示すように、鼓膜に反射されて音響管２内に入射された反射音を吸音する吸音材２５が配設され、他端部８は、音の無反射端となされている。この吸音材２５は、多孔質の発泡ウレタンを成形して形成されてなるものであって、先端先細り状の略円錐状に形成されている。そして、吸音材２５は、先端先細りの先端側を挿入端として音響管２内に挿入され、他端部８に嵌合配設される。なお、吸音材２５は、配設位置を固定するため、必要に応じて接着剤により音響管２内に接合される。
【００２５】
そして、音響管２の他端部８には、外部環境の音を集音するマイクロホンユニット３がマイクロホン支持部材２６を介して取付けられる。ここに用いられるマイクロホンユニット３は、円筒状をなすマイクカプセル２７内にマイクロホン素子を収納して構成されている。マイクカプセル２７のマイクロホン素子の振動板が対向する集音面側には、図３に示すように、複数の集音孔２８が穿設されている。外部環境の音は、集音孔２８を介してマイクカプセル２７に入射され、マイクロホン素子によって集音される。
【００２６】
マイクロホンユニット３を音響管２の他端部８に取付けるマイクロホン支持部材２６は、音響管２の他端部８に嵌合される嵌合突部２９と、この嵌合突部２９の先端に一体に形成された円弧状をなすマイクロホン保持部３０とから構成されている。マイクロホンユニット３は、円筒状をなすマイクカプセル２７をマイクロホン保持部３０に嵌合させることによってマイクロホン支持部材２６に保持される。このマイクロホン支持部材２６は、嵌合突部２９を音響管２の他端部８に嵌合させることによって、マイクロホンユニット３を音響管２に取付けられる。
【００２７】
ところで、マイクロホンユニット３は、図８に示すように、取付け片１６を介して音響管２に支持されるスピーカユニット１と向きを逆にして音響管２に取付けられる。すなわち、マイクロホンユニット３の集音面とスピーカユニット１の放音面が相反する方向に向くように配設する。このようにマイクロホンユニット３とスピーカユニット１の向きを逆にすることにより、スピーカユニット１から放射される再生音のマイクロホンユニット３への入射が抑えられ、スピーカユニット１によって再生される再生音の共振の発生を防止することができる。
【００２８】
なお、マイクロホンユニット３とスピーカユニット１とは、スピーカユニット１から放射される再生音のマイクロホンユニット３への入射が抑える向きに配設されればよく、集音面と放音面が互いに直交するように配設してもよい。
【００２９】
ところで、音響管２の他端部８にはマイクロホン支持部材２６が嵌合されるため、音響管２の終端が閉塞されてしまう。そのため、音響管２の他端部８側に放射された音を音響管２の外部に放射することができない。そこで、音響管２の他端部８側の側面には、音響管２の他端部８側に伝達される音を外部に放射させる抜き孔３１が穿設されている。この抜き孔３１は、抜き孔３１を介して放射される音がマイクロホンユニット３に入射されにくいようになすため、図２及び図４に示すように、マイクロホンユニット３の集音面が臨む面とは反対側に位置する音響管２の他端部８側の側面に形成される。このような位置に抜き孔３１を形成することにより、耳介に装着されたイヤホン装置を手で覆ったような場合であっても、開放された状態に維持され、抜き孔３１を介して放射される音がマイクロホンユニット３によって集音されにくくなり、スピーカユニット１によって再生される再生音の共振を防止することができる。
【００３０】
上述のように音響管２に取付けられたスピーカユニット１及びマイクロホンユニット３は、折り曲げ部６を含む音響管２の中途部を内包するように覆って配設されるイヤホン本体を構成するハウジング４内に収納される。このハウジング４は、図３及び図４に示すように、合成樹脂をモールド成形して形成された一対の前面側ハーフ３２と背面側ハーフ３３とから構成されてなる。
【００３１】
ハウジング４を構成する前面側ハーフ３２及び背面側ハーフ３３の相対向する突き合わせ面側には、図３及び図４に示すように、音響管２が嵌合する嵌合凹部３４，３５が形成されている。そして、前面側ハーフ３２には、スピーカ取付け片１６に取付けられたスピーカユニット１の背面側に突出する磁気回路部１ａ側を収納するスピーカ収納凹部３６と、マイクロホンユニット３の集音面側を収納するマイクロホン収納凹部３７が膨出形成されている。このマイクロホン収納凹部３７には、外部環境の音を入射させるための複数の微小な入射孔３８が穿設されている。また、背面側ハーフ３３には、スピーカユニット１及びマイクロホンユニット３から引き出された外部接続コード３９を保持し、この外部接続コード３０の引き出し方向を位置決めするコード保持部４１が設けられている。コード保持部４１は、端部にコード挿通部４２を形成して背面側ハーフ３３の側面から膨出すように形成されている。そして、外部接続コード３９は、コード保持部４１の端部に形成されたコード挿通部４２に挿通されてハウジング４の外部に延長される。
【００３２】
なお、外部接続コード３９のコード挿通部４２からの引き出し部分には、可撓性を有するゴム等によって形成されたブッシング４３が嵌合されている。このブッシング４３は、外部接続コード３９のコード挿通部４２からの引き出し部分での大きな屈曲を防止し、断線を防止するためのものである。
【００３３】
また、スピーカユニット１から引き出される外部接続コード３９は、スピーカユニット１への音声信号の入力ラインとなり、マイクロホンユニット３から引き出される外部接続コード３９は、マイクロホンユニット３によって集音された音声信号の出力ラインとなる。
【００３４】
なお、コード保持部４１は、背面側ハーフ３３とは別体に形成し、背面側ハーフ３３の側面に一体的に取付けるようにしたものであってもよい。この場合、背面側ハーフ３３には、コード保持部４１に設けられたコード挿通部４２に連通するコード引き出し孔が設けられる。このようにコード保持部４１を背面側ハーフ３３とは別体に形成することにより、コード保持部４１を剛性を有する合成樹脂材料で形成される背面側ハーフ３３とは異なる材料で形成することができる。このコード保持部４１は、耳介への装着時に、耳介の一部に接触したような場合であっても良好な装着感を得るようになすため、柔軟性を有するゴム等により形成することができる。
【００３５】
また、ハウジング４を構成する前面側ハーフ３２及び背面側ハーフ３３には、音響管２の一端部側に構成された耳介挿入部５の基端部側に嵌合する挿入規制部半体４４，４５が形成されている。これら挿入規制部半体４４，４５は、互いに突き合わせ結合されたとき、音響管２より大径をなす耳介挿入規制部４６を構成する。
【００３６】
上述のように構成された前面側ハーフ３２と背面側ハーフ３３は、音響管２を挟んで相対向して配置し、これらハーフ３２，３３に設けた嵌合凹部３４，３５に音響管２の中途部を嵌合させて互いに突き合わせ面３２ａ，３３ａを突き合わせ結合することによって、図１及び図２に示すように、音響管２の中途部を覆うようにして一体化されたハウジング４が構成する。そして、ハウジング４内には、図８に示すように、スピーカユニット１が前面側ハーフ３２に設けたスピーカ収納凹部３６に収納され、マイクロホンユニット２がマイクロホン収納凹部３７に収納されて配置される。また、前面側ハーフ３２と背面側ハーフ３３を突き合わせ結合してハウジング４を構成すると、耳介挿入部５の基端部側に音響管２より大径をなす耳介挿入規制部４６が形成される。
【００３７】
ところで、ハウジング４内に収納配置されたマイクロホンユニット３の集音面３ａとマイクロホン収納凹部３７の底面との間には間隙が設けられ、この間隙を介して、図８に示すように、マイクロホン収納凹部３７に穿設された入射孔３８を介して集音される際に発生する風切り音を防止する不織布等からなるエアスクリーン４５が配設される。また、マイクロホンユニット３とハウジング４との間には、図示はしないが、発泡ウレタンやフェルト等からなる吸音材が配設される。この吸音材は、ハウジング４を介してマイクロホンユニット３に伝達される振動を吸収する。このように吸音材を設けることにより、マイクロホンユニット３は、ノイズを集音することなく外部環境音の集音を可能となす。
【００３８】
上述のように構成されたイヤホン装置は、図１０に示すように、音響管２の一端側に設けた耳介挿入部５の先端部に取付けた装着体１０を耳道ｂに嵌合させ、音響管２の管本体７を耳介ａの表面に沿って垂下するように装着される。このとき、装着体１０の耳道嵌合部１２が弾性変形しながら、図１１に示すように、耳道ｂに嵌合する。耳道嵌合部１２は、容易に弾性変形するゴム等により形成されているので、耳道ｂの形状に倣って変形して耳道ｂを密閉する。このように、イヤホン装置を装着したとき、耳道ｂが装着体１０の耳道嵌合部１２によって密閉されるので、イヤホン装置から放射される再生音以外の外部環境の音を入射が抑制させる。
【００３９】
また、イヤホン装置を耳介ａに装着したとき、マイクロホンユニット３の集音面が、図１０に示すように、耳介ａに対し外側に向かうので、外部環境の音を能率よく集音することができる。さらに、イヤホン装置を耳介ａに装着したとき、コード保持部４１が、図１０に示すように、耳介ａに対向するハウジング４の背面側に位置するので、外部接続コード３９は耳介ａとハウジング４との間の空間から引き出される。そのため、外部接続コード３９をイヤホン装置から突出させることなく耳介ａの下方に引き出すことができる。そして、コード保持部４１を長尺とすることにより、外部接続コード３９を耳介ａに接触させることなく耳介ａの下方に引き出せるので、安定した装着状態が得られる。
【００４０】
さらにまた、イヤホン装置を耳介ａに装着したとき、図１１に示すように、耳介挿入部５の基端部側に音響管２より大径に形成された耳介挿入規制部４６の先端面４６ａが耳介ａの耳甲介腔ｃの底部に当接する。従って、剛性を有する耳介挿入部５が耳道ｂに過度に挿入されることが規制され、安全に装着することができる。
【００４１】
上述したイヤホン装置は、耳道ｂを密閉する耳道嵌合部１２を備えた装着体１０と、耳介挿入部５の耳道ｂへの挿入を規制する耳介挿入規制部４６をハウジング４と一体に形成し、装着体１０と耳介挿入規制部４６を独立の部材として形成しているが、装着体１０と耳介挿入規制部４６とを一体に形成するようにしてよい。この場合、ハウジング４側に形成される耳介挿入規制部４６は、取り除かれる。
【００４２】
以下、耳道嵌合部と耳介挿入規制部を一体に形成した実施の態様を図面を参照して説明する。
【００４３】
以下の説明においては、前述した実施例と共通する部材については、共通の指示符号を付して詳細な説明は省略する。
【００４４】
ここに示すイヤホン装置は、耳道ｂに少なくとも一部が嵌合して耳道ｂを密閉する耳道嵌合部５１と耳介挿入規制部５２を一体に形成した装着体５３を、図１２及び図１３に示すように、音響管２の一端側に構成した耳介挿入部５の先端側に取付けたものである。
【００４５】
ここに用いられる装着体５３は、図１４に示すように、耳介挿入部５の先端部の外周側に嵌合する筒状の取付け部５４と、この取付け部５４の外周側に形成された耳道嵌合部５１と、取付け部５４の基端側に形成された耳介挿入規制部５２とをゴム等の弾性を有する材料を成形して一体に形成したものである。
【００４６】
耳道嵌合部５１は、取付け部５４の先端部側に一端部を連結し、取付け部５４の基端部側に向かって湾曲して膨出するように形成されて取付け部５４の外周側に形成されている。すなわち、耳道嵌合部５１は、耳道ｂへの挿入側となる一端部を取付け部５４への連結部となし、他端側を自由端として取付け部５４の外周側を覆うようにして略球状に膨出するようにして取付け部５４と一体に形成されている。
【００４７】
装着体５３及びこの装着体５３が取付けられた耳介挿入部５の耳道ｂに対する挿入位置を規制する耳介挿入規制部５２は、音響管２の外径より大径であって、少なくとも耳道ｂに挿入し得ない大きさをもって、取付け部５４の基端部側に膨出するように形成されている。この耳介挿入規制部５２は、イヤホン装置を耳介ａに装着したとき、耳甲介腔ｃに係止されるように嵌合される形状に形成されてなるものであって、図１２及び図１３に示すように、側方に向かって耳甲介腔ｃ内の一部に係合する係合突部５５が突設されている。
【００４８】
そして、取付け部５４から耳介挿入規制部５２に亘って形成された嵌合孔５６の内周面には、耳介挿入部５の外周面に突設した係合突起５７，５８が相対係合する係合溝５９，６０が設けられている。装着体５３は、嵌合孔５６を介して耳介挿入部５に嵌合させることによって、耳介挿入部５の外周側に取付けられる。このとき、嵌合孔５６の内周面に設けた係合溝５９，６０が、図１４に示すように、耳介挿入部５の外周面に突設した係合突起５７，５８に相対係合されることにより、耳介挿入部５に対する取付け位置の位置決めが図られ、耳介挿入部５からの抜け止めが図られて取付けられる。
【００４９】
なお、取付け部５４の先端部には、図１４に示すように、耳介挿入部５の先端面を覆うリング状のフランジ部６１が形成されている。このフランジ部６１は、耳介ａに装着したとき、剛性を有する取付け部５４の先端部が耳道ｂに直接当接することを防止し、量感な装着感を得るようになすものである。
【００５０】
ところで、耳道嵌合部５１は、耳道ｂに嵌合したとき、耳道ｂを密閉し得るように、耳道ｂに倣って容易に弾性変形し得るように形成されることが望ましい。一方、装着体５３の取付け部５４は、装着体５３を耳介挿入部５に確実に支持させるためのものであるので、大きな弾性力を有するように形成されることが望ましい。また、耳介挿入規制部５２は、耳甲介腔ｃに嵌合して耳道嵌合部５１及び耳介挿入部５の耳道ｂに対する挿入位置を規制するものであるので、容易に弾性変形しないように形成されることが望ましい。
【００５１】
そこで、耳道嵌合部５１は、容易に弾性変形し得るように薄肉に形成されるのに対し、取付け部５４は、十分な嵌合保持力を有するように耳道嵌合部５１に比し肉厚に形成されてなる。また、耳介挿入規制部５２も、容易に弾性変形しないように肉厚に形成されてなる。
【００５２】
また、装着体５３の耳道嵌合部５１、取付け部５４及び耳介挿入規制部５２は、それぞれの機能を十分に発揮し得るように異なる材料を用いて一体に形成してもよい。例えば、耳道嵌合部５１を容易に弾性変形し得るシコンゴムにより形成し、取付け部１１及び耳介挿入規制部５２を大きな弾性力を有するゴム等の弾性材料により形成する。
【００５３】
上述のように構成された装着体５３を音響管２の一端側に設けた耳介挿入部５の先端部に取付けたイヤホン装置は、図１５に示すように、装着体５３を耳道ｂに嵌合させるとともに、係合突部５５を耳甲介腔ｃの一部に係止させて耳介挿入規制部５２を耳甲介腔ｃに嵌合させ、音響管２の管本体７を耳介ａの表面に沿って垂下するようにして装着される。このとき、装着体５３の耳道嵌合部１２が、図１５に示すように、弾性変形しながら耳道ｂに嵌合して耳道ｂを密閉する。このとき、耳介挿入規制部５２に設けた係合突部５５が耳甲介腔ｃの一部に係止されてなるので、耳道嵌合部５１及び耳介挿入部５の耳道ｂに対する挿入量を規制する。従って、耳道嵌合部５１や剛性を有する耳介挿入部５が耳道ｂに過度に挿入されることが規制され、安全に装着することを可能となす。
【００５４】
上述したイヤホン装置は、スピーカユニット１とともにマイクロホンユニット３を備え、イヤホン装置の外部から入射される雑音を減少させて、スピーカユニット１から放射される再生音を歪み等を抑え、良好な再生特性をもって聴取することを可能となすいわゆるノイズ低減型のイヤホン装置に適用した例を挙げて説明したが、スピーカユニット１とこのスピーカユニット１から放射される再生音を耳介に入射させる無反射型の音響管２を備えたイヤホン装置にもそのまま適用できるものである。
【００５５】
また、本発明は、耳介に装着されて用いられるマイクロホンユニット及びスピーカユニットを備えた補聴器の如き電気音響変換器にもそのまま適用することができるものである。
【００５６】
【発明の効果】
上述したように、本発明に係る電気音響変換器は、耳介挿入部を耳介に挿入すると、耳道嵌合部が耳道の形状に倣って変形して嵌合するので、いずれの人に対しても、良好な装着感をもって安定した状態で装着することを可能となす。また、耳介挿入規制部は、その係合突部が耳甲介腔の一部に係止されて、耳道嵌合部や剛性を有する耳介挿入部の耳道に対する過度の挿入が規制され、装着の安全性を向上させることができる。
そしてまた、耳道嵌合部、取付け部及び係合突部を有する耳介挿入規制部が一体に弾性変形材料から形成されているので、部品点数を少なくすることができるとともに耳介挿入部に対する耳道嵌合部、耳介挿入規制部等の取付け作業もその工程数を削減することができる。
【００５７】
また、耳道嵌合部が耳道の形状に倣って変形して嵌合するので、耳道嵌合部によって耳道を確実に密閉することができるので、外部環境の雑音が耳道に入射されることを抑え、スピーカユニットから放射される音の音質の劣化を生じさせることなく、良好な音響特性をもって再生音の聴取を可能となす。
【図面の簡単な説明】
【図１】  本発明に係るイヤホン装置をマイクロホンユニットの放音面が臨む面から見た斜視図である。
【図２】  上記イヤホン装置をコード保持部側から見た斜視図である。
【図３】  上記イヤホン装置をマイクロホンユニットの放音面が臨む面から見た分解斜視図である。
【図４】  上記イヤホン装置をコード保持部側からから見た分解斜視図である。
【図５】  耳介挿入部の傾斜状態を示す正面図である。
【図６】  耳介挿入部の傾斜状態を示す平面図である。
【図７】  耳介挿入部に装着体を取付けた状態を一部を破断して示す正面図である。
【図８】  スピーカユニット及びマイクロホンユニットをハウジング内に取付けた状態を示す縦断面図である。
【図９】  スピーカユニットのスピーカ取付け片への取付け状態を示す断面図である。
【図１０】  本発明に係るイヤホン装置を耳介に装着した状態を示す斜視図である。
【図１１】  装着体を耳道内に嵌合させた状態を一部を破断して示す背面図である。
【図１２】  本発明に係るイヤホン装置の他の例をマイクロホンユニットの放音面が臨む面から見た斜視図である。
【図１３】  上記イヤホン装置を他の例をコード保持部側から見た斜視図である。
【図１４】  上記イヤホン装置に取付けられる一体型の装着体を示す断面図である。
【図１５】  上記イヤホン装置を耳介に装着した状態を一部を破断して示す背面図である。
【図１６】  従来の耳介挿入体を示す正面図である。
【図１７】  上記耳介挿入体を示す断面図である。
【符号の説明】
１  スピーカユニット、２  音響管、３  マイクロホンユニット、４  ハウジング、５  耳介挿入部、１０，５３  耳介装着体、１２，５１  耳道嵌合部、１１，５４  取付け部、４６，５２  耳介挿入規制部
【図１】
0003834846.tif 000002
【図２】
0003834846.tif 000003
【図３】
0003834846.tif 000004
【図４】
0003834846.tif 000005
【図５】
0003834846.tif 000006
【図６】
0003834846.tif 000007
【図７】
0003834846.tif 000008
【図８】
0003834846.tif 000009
【図９】
0003834846.tif 000010
【図１０】
0003834846.tif 000011
【図１１】
0003834846.tif 000012
【図１２】
0003834846.tif 000013
【図１３】
0003834846.tif 000014
【図１４】
0003834846.tif 000015
【図１５】
0003834846.tif 000016
【図１６】
0003834846.tif 000017
【図１７】
0003834846.tif 000018